(57)【要約】【課題】パネルが膨れる方向に変形した状態で駆動した時に発生するノイズの発生源を減らし、ノイズの発生が抑制されたＰＤＰを実現する。【解決手段】一対の基板（前面基板２、背面基板３）がその基板間に放電空間を形成するように配置されて周辺部が封着され、画像表示領域を構成する複数の放電セルを備えたプラズマディスプレイパネルにおいて、前記基板の周辺部に封着材料により形成された第１封着部材１６ａと、画像表示領域と第１封着部材１６ａとの間の領域であり且つ前記基板の長辺の中央部分を含む領域に形成した第２封着部材１６ｂとを有し、第２封着部材１６ｂは障壁１６１と封着材料により形成された封着部１６２とからなる。【選択図】図３
2009099483.tif 000002
【特許請求の範囲】
【請求項１】
一対の基板がその基板間に放電空間を形成するように配置されて周辺部が封着され、画像表示領域を構成する複数の放電セルを備えたプラズマディスプレイパネルにおいて、前記基板の周辺部に封着材料により形成された第１封着部材と、前記画像表示領域と前記第１封着部材との間の領域であり且つ前記基板の長辺の中央部分を含む領域に形成した第２封着部材とを有し、前記第２封着部材は障壁と封着材料により形成された封着部とからなることを特徴とするプラズマディスプレイパネル。
【発明の詳細な説明】
【技術分野】
【０００１】
本発明は、大画面で薄型、軽量のディスプレイ装置として知られているプラズマディスプレイパネル（ＰＤＰ）に関するものである。
【背景技術】
【０００２】
近年、ＰＤＰは、視認性に優れた薄型表示デバイスとして注目されている。このＰＤＰには大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めている。
【０００３】
その構造は、走査電極と維持電極とからなる表示電極を複数有する前面基板と、表示電極に対して直交する複数のデータ電極を有する背面基板とからなる一対の基板を、背面基板に形成した隔壁を挟んで対向させることで、表示電極とデータ電極との交差部に放電セルを形成し、その放電セル内に蛍光体層を備えたものである。
【０００４】
また、放電セル内には放電ガスが封入されており、表示電極とデータ電極との間に印加する周期的な電圧によって放電を発生させ、この放電による紫外線を蛍光体層に照射することで可視光が発せられ、画像表示が行われる（例えば、特許文献１参照）。
【特許文献１】特開平１１−２８３５１０号公報
【発明の開示】
【発明が解決しようとする課題】
【０００５】
しかしながら、前述のような構成のＰＤＰでは、駆動時にノイズ（雑音）が発生する場合があった。また、通常の環境下ではノイズが確認されないＰＤＰであっても、標高が数千ｍの気圧の低い環境下で使用するとノイズを発生するようになるものもあった。このようなノイズは、音圧が３０ｄＢを越えるとかなり耳障りとなり、商品としての品質を著しく低下させるものである。
【０００６】
このようなノイズが発生する原因としては、以下のように考えられる。ＰＤＰは、前面基板と背面基板とが、背面基板に形成された隔壁を挟んだ状態で、周辺部に形成された封着部材のみによって貼り合わされた構造であることから、隔壁と前面基板との間の当接状態は不安定であり、この当接状態が不十分な場合には隙間が生じてしまう場合がある。ここで、ＰＤＰの表示電極とデータ電極とには、その駆動時において周期的な電圧が印加されるため、前面基板と背面基板との間には周期的な引力および／または斥力が作用することとなる。その結果、上述のような隙間が存在する場合、前面基板および／または背面基板は振動するようになり、それがノイズの原因になるというものである。
【０００７】
隙間が発生する原因としては、前面基板と背面基板とは周辺部の封着部材によってのみで貼り合わされた構造であり、貼り合わせ時の封着部材の状態や、前面基板および／または背面基板の自身の平坦性によっては、隔壁との当接状態が不十分となることや、外気の気圧が低い地域、例えば標高の高い場所では、ＰＤＰ内に封入した放電ガスの圧力によりＰＤＰが膨れる方向に変形しようとすること、等が挙げられる。
【０００８】
その他の理由として、パネルの長辺の中央付近において封着部材周辺の前面基板が自重によって沈み込んだ状態になる傾向がある。沈み込んだ状態で封着されたパネルでは、標高の高い場所でＰＤＰが膨れる方向に変形すると、前面基板と背面基板は、縦リブ（データ電極に平行に形成された隔壁）の両端で接している状態となり、前面基板の振動により、その接点において衝突するため、ここを起点としてノイズが発生することが多い。特に、６５インチ以上の基板を使用するときや、基板の厚さが２ｍｍ以下になるときにこの傾向は顕著に現れ、ノイズ対策が必要とされている。
【０００９】
本発明は上記課題に鑑みてなされたものであり、パネルが膨れる方向に変形した状態で駆動した時に発生するノイズの発生源を減らし、ノイズの発生が抑制されたＰＤＰを実現することを目的とする。
【課題を解決するための手段】
【００１０】
上記目的を達成するために本発明のプラズマディスプレイパネルは、一対の基板がその基板間に放電空間を形成するように配置されて周辺部が封着され、画像表示領域を構成する複数の放電セルを備えたプラズマディスプレイパネルにおいて、前記基板の周辺部に封着材料により形成された第１封着部材と、前記画像表示領域と前記第１封着部材との間の領域であり且つ前記基板の長辺の中央部分を含む領域に形成した第２封着部材とを有し、前記第２封着部材は障壁と封着材料により形成された封着部とからなることを特徴とする。
【発明の効果】
【００１１】
本発明によれば、パネルが膨れる方向に変形した状態で駆動した時に発生するノイズの発生源を減らすことができ、ノイズの発生が抑制されたＰＤＰを実現することができる。
【発明を実施するための最良の形態】
【００１２】
以下、本発明の実施の形態について、図面を参照しながら説明する。図１は、本発明の実施の形態のＰＤＰにおいて画像表示領域の一部の構成を示す斜視図である。図２は、本発明の実施の形態によるＰＤＰの概略構成を示す平面図である。また、図３は、本発明の実施の形態によるＰＤＰの長辺の中央付近におけるＹ方向（図１参照）の断面図である。また、図４は、本発明の実施の形態によるＰＤＰの隔壁および封着部材の概略構成を示す平面図である。
【００１３】
図１に示すようにＰＤＰ１は、一対の基板である前面基板２と背面基板３とにより構成されている。前面基板２は、前面ガラス基板５と、前面ガラス基板５の上に形成した走査電極６と維持電極７とからなる表示電極８と、その表示電極８を覆うように形成した誘電体層９と、その誘電体層９を覆うように形成した保護層１０とを有している。走査電極６と維持電極７は、透明電極６ａ、７ａにバス電極６ｂ、７ｂを積層した構造である。保護層１０は、例えば酸化マグネシウム（ＭｇＯ）からなる。
【００１４】
背面基板３は、背面ガラス基板１１と、背面ガラス基板１１の上に形成した複数のデータ電極１２と、データ電極１２を覆うように形成した下地誘電体層１３と、下地誘電体層１３上に、データ電極１２の間に相当する箇所に形成した隔壁４と、隔壁４間に形成した蛍光体層１４Ｒ、１４Ｇ、１４Ｂとを有している。
【００１５】
そして、表示電極８とデータ電極１２とが直交するように前面基板２と背面基板３とを対向して配置し、周辺部が封着部材によって封着されている。前面基板２と背面基板３との間に形成された放電空間１７には、例えばネオン（Ｎｅ）−キセノン（Ｘｅ）の放電ガス（Ｘｅの分圧が６％）が６６．７ｋＰａの圧力で封入されている。表示電極８とデータ電極１２との交差する部分に放電セル１８が形成される。
【００１６】
図２に示すように、Ｎ本の走査電極６（１）〜６（Ｎ）がパネルの長辺に平行に形成され、各走査電極６（１）〜６（Ｎ）と対になるように維持電極７がパネルの長辺に平行に形成されている。括弧内の数字は各走査電極を区別する番号で、上から何番目に形成された走査電極であるかを示している。維持電極７はパネルの端部（図２ではパネルの右側）で共通接続されているので、各維持電極を区別する番号は付していない。また、Ｍ本のデータ電極１２（１）〜１２（Ｍ）がパネルの短辺に平行に形成されている。括弧内の数字は各データ電極を区別する番号で、左から何番目に形成されたデータ電極であるかを示している。
【００１７】
ｉ番目（ｉ＝１〜Ｎ）の走査電極６（ｉ）と維持電極７とからなる表示電極８と、ｊ番目（ｊ＝１〜Ｍ）のデータ電極１２（ｊ）との交差部分には放電セル１８が形成され、この放電セル１８は単位発光領域として作用する。点灯させようとする放電セル１８において、表示電極８とデータ電極１２の間、および表示電極８の走査電極６と維持電極７との間に、周期的な電圧を印加することで放電を発生させ、この放電による紫外線で蛍光体層１４Ｒ、１４Ｇ、１４Ｂを励起して可視光を発生させる。そして各色の放電セル１８の点灯、非点灯の組み合わせによって画像表示が行われる。なお、放電セル１８が集合した領域が画像表示領域（画像表示を行うための領域）１５であり、画像表示領域１５の周囲には非表示領域（画像表示を行わない領域）が設けられている。
【００１８】
ここで本実施の形態によるＰＤＰにおいては、第１封着部材１６ａと第２封着部材１６ｂとからなる封着部材１６により前面基板２と背面基板３とを封着している。第１封着部材１６ａは基板の周辺部に形成されており、第２封着部材１６ｂは、画像表示領域１５と第１封着部材１６ａの間の領域であり且つ基板の長辺の中央部分を含む領域に形成されている。ここで、第１封着部材１６ａは封着工程（前面基板２と背面基板３とを貼り合わせて封着する工程）における加熱により軟化する封着材料（ガラスフリット）からなる。一方、第２封着部材１６ｂは障壁と封着部とからなり、この封着部は第１封着部材１６ａと同様の封着材料（ガラスフリット）により形成され、障壁は封着工程における加熱処理によって軟化することのない材料（例えば隔壁４と同じ材料）からなる。このことにより、画像表示領域１５内において前面基板２と背面基板３とが面内一様に接するように構成されている。この状態について、図３を用いて以下に説明する。
【００１９】
図３（ａ）、（ｂ）に示すように、前面基板２と背面基板３は、基板の長辺の中央部分において、所定の高さの障壁１６１を含む第２封着部材１６ｂを配置しているので、封着したとき、障壁１６１が支えとなるので沈み込むことがなくなる。したがって、画像表示領域１５内において、前面基板２と背面基板３とが面内一様に接することが可能となる。なお、符号１６２で示す部分は封着材料によって形成される封着部である。また、隔壁４の端と第１封着部材１６ａとの間の前面基板２は、第２封着部材１６ｂの封着部１６２によって背面基板３と固着しているため変形が少ない。このため、図３に示すように、少なくとも画像表示領域１５内において前面基板２が平坦に背面基板３の隔壁４と接した状態となる。
【００２０】
このような状態に構成されたＰＤＰにおいては、標高の高い場所でＰＤＰが膨れる方向に変形した際、隔壁４の端と第２封着部材１６ｂとの間の前面基板２は、第２封着部材１６ｂによって背面基板３と固着しているため変形しにくいので、広い範囲で前面基板２が隔壁４と接している。したがって前面基板２がノイズ発生源となることがなく、ノイズの発生が抑制されたＰＤＰを実現することができる。
【００２１】
以上に説明したように本発明の実施の形態によるＰＤＰ１は、前面基板２の画像表示領域１５内を平坦にした形状で封着され、このことにより、ＰＤＰ１の内部と外部との気圧差とは別に、ノイズ発生源となる隔壁４の両端付近では、前面基板２と背面基板３とが隔壁４を介して広い面積で接することが可能となる。
【００２２】
したがって、ＰＤＰ１の内部と外部の気圧差が小さくなっても、隔壁４と前面基板２とがノイズを発生させるような接し方をすることが大幅に抑制される。その結果、ノイズの発生を抑制することができる。
【００２３】
次に、第２封着部材１６ｂからの不純物ガスを最小限に抑え、かつ、ノイズの発生の抑制を実現する最適な条件を検証した。上述の実施の形態に基づいてＰＤＰを作製し、従来のＰＤＰと比較した結果について述べる。なお、サイズは１０３インチである。
【００２４】
本発明の実施の形態のＰＤＰとして、例えば、隔壁４と同じ高さの障壁１６１を内在した第２封着部材１６ｂと第１封着部材１６ａを使用し、画像表示領域１５の端から所定の距離だけ離れた位置に障壁１６１を配置した。所定の距離は３ｍｍ、６ｍｍ、１０ｍｍ、１５ｍｍとなるようにした。また、４２インチパネルでは、長辺中央付近が沈み込まないことを確認していることから、障壁１６１の長さは、図４に示す長さχが４２インチパネルの長辺の長さ（約９５０ｍｍ）以下になるような長さで配置したものを作製した。また、基板の厚さが３ｍｍと２ｍｍのものについて作製した。
【００２５】
以上により作製したパネルを、高度２０００ｍ以上の高地において確認したところ、画像表示領域１５の端からの距離が一番近い３ｍｍが、より高い高度でノイズを出すことなく駆動できた。基板の厚さに関しては、２ｍｍの基板の場合、特に効果的な結果を得ることができた。このことから、第２封着部材１６ｂを配置したことによって、ノイズの発生を抑えることができたと考えられる。図３（ａ）、（ｂ）に示したような障壁１６１と封着部１６２の位置関係のどちらでも、ノイズの発生を抑える効果を得ることはできたが、パネルの品質として、図３（ｂ）に示す構成の方が不純物ガスの影響を受けにくいことがわかり、図３（ｂ）に示す構成の方が好ましい。
【００２６】
以上に述べたように、本実施の形態によるＰＤＰは、前面基板２の長辺の中央付近の沈み込みを軽減するように隔壁４と同じ高さの障壁１６１を内在した第２封着部材１６ｂを配置しているため、画像表示領域１５内において、前面基板２と背面基板３の隔壁４とが面内一様に接することが可能となり、また隔壁４の端部近傍に封着部１６２が配置されるので、隔壁４の両端付近における、前面基板２の変形を抑えることが可能となる。以上により、ＰＤＰ内外の気圧差が小さくなっても、隔壁４と前面基板２とがノイズを発生させるような接し方することが大幅に抑制される。また、第２封着部材１６ｂの形成領域を必要最小限に抑えることができるので、パネル内部への不純物ガスの持込みを少なくすることが可能となる。その結果、パネルの品質を損なうことなく、ノイズの発生の抑制が可能となる。
【産業上の利用可能性】
【００２７】
以上のように本発明によれば、気圧の低い環境下、例えば標高の高い場所などで画像表示を行った場合に発生するノイズを抑制するＰＤＰを実現することができる。
【図面の簡単な説明】
【００２８】
【図１】本発明の実施の形態によるプラズマディスプレイパネルの一部の構成を示す斜視図
【図２】同プラズマディスプレイパネルの概略構成を示す平面図
【図３】（ａ）、（ｂ）は同プラズマディスプレイパネルの長辺の中央付近における断面図
【図４】同プラズマディスプレイパネルにおける隔壁および封着部材の概略構成を示す平面図
【符号の説明】
【００２９】
１  プラズマディスプレイパネル
２  前面基板
３  背面基板
４  隔壁
５  前面ガラス基板
９  誘電体層
１１  背面ガラス基板
１３  下地誘電体層
１５  画像表示領域
１６  封着部材
１６ａ  第１封着部材
１６ｂ  第２封着部材
１７  放電空間
１８  放電セル
１６１  障壁
１６２  封着部
【図１】
2009099483.tif 000003
【図２】
2009099483.tif 000004
【図３】
2009099483.tif 000005
【図４】
2009099483.tif 000006